(57)【要約】      （修正有）【課題】ＴＶ受信表示中に、ＴＶ表示を中断することなく、動画を記録できるようにする。【解決手段】ＴＶ放送を受信していないときの、動画記録には、ＭＰＥＧコーデック３４のエンコーダを使用する。ＴＶ放送受信には、ＭＰＥＧコーデック３４のデコーダを使用する。ＴＶ放送受信中の動画記録に対しては、ＪＰＥＧコーデックのエンコーダを使用する。ＴＶ放送の受信を終了し、且つＪＰＥＧでの動画記録を終了した後、ＪＰＥＧデータをＪＰＥＧコーデック３６のデコーダで伸長し、ＭＰＥＧコーデック３４のエンコーダで圧縮して、ＪＰＥＧデータをＭＰＥＧデータに変換する。【選択図】図１
2008153781.tif 000002
【特許請求の範囲】
【請求項１】
被写体を撮像する撮像手段（１８）と、
動画放送を受信する放送受信手段（５０）と、
第1エンコーダ及び第１デコーダを具備し、動画像を圧縮伸長する第１コーデック（３４）と、
第２エンコーダ及び第２デコーダを具備し、静止画像を圧縮伸長する第２コーデック（３６）と、
当該撮像手段（１８）による撮影画像の動画記録を指示する動画記録指示手段（６８）と、
画像表示手段（３０）と、
当該放送受信手段により当該動画放送を受信していないときの、当該動画記録指示手段による動画記録指示に対し、当該撮像手段による当該撮像画像を当該第１エンコーダに圧縮させ、当該放送受信手段により当該動画放送を受信しているときの、当該動画記録指示手段による動画記録指示に対し、当該撮像手段による当該撮像画像を当該第２エンコーダに圧縮させる制御手段（６０）と、
当該第１エンコーダで圧縮された画像データ及び当該第２エンコーダで圧縮された画像データを記憶する記録媒体（４６）
とを具備することを特徴とする携帯型電子機器。
【請求項２】
当該第1エンコーダと当該第１デコーダは、同時動作しないことを特徴とする請求項１に記載の携帯型電子機器。
【請求項３】
当該第１コーデック（３４）は、フレーム間圧縮を含む圧縮符号化形式に対応することを特徴とする請求項１又は２に記載の携帯型電子機器。
【請求項４】
当該第２コーデック（３６）は、フレーム間圧縮を含まない圧縮符号化形式に対応することを特徴とする請求項１乃至３の何れか１項に記載の携帯型電子機器。
【請求項５】
当該制御手段は更に、当該記録媒体に記録される当該第２エンコーダで圧縮された動画像データを、当該第２コーデックの第２デコーダ及び当該第１コーデックの当該第１エンコーダを使って変換し、当該記録媒体に記録することを特徴とする請求項１乃至４の何れか１項に記載の携帯型電子機器。
【請求項６】
当該第２エンコーダは、当該放送受信手段により当該動画放送を受信しているときの、当該動画記録指示手段による動画記録指示に対し、当該撮像手段による当該撮像画像を、当該第１エンコーダの場合よりも遅いフレームレート又は少ない画素数で圧縮することを特徴とする請求項１乃至５の何れか１項に記載の携帯型電子機器。
【請求項７】
被写体を撮像する撮像手段（１８）と、
動画放送を受信する放送受信手段（５０）と、
第1エンコーダ及び第１デコーダを具備し、動画像を圧縮伸長する第１コーデック（３４）と、
第２エンコーダ及び第２デコーダを具備し、静止画像を圧縮伸長する第２コーデック（３６）と、
当該撮像手段による撮影画像の動画記録を指示する動画記録指示手段（６８）と、
画像表示手段（３０）と、
当該第１エンコーダで圧縮された画像データ及び当該第２エンコーダで圧縮された画像データを記憶する記録媒体（４６）
とを具備する携帯型電子機器の制御方法であって、
当該第１エンコーダが、当該放送受信手段により当該動画放送を受信していないときの、当該動画記録指示手段による動画記録指示に対し、当該撮像手段による当該撮像画像を圧縮するステップと、
当該第２エンコーダが、当該放送受信手段により当該動画放送を受信しているときの、当該動画記録指示手段による動画記録指示に対し、当該撮像手段による当該撮像画像を圧縮するステップ
とを具備することを特徴とする携帯型電子機器の制御方法。
【請求項８】
当該第1エンコーダと当該第１デコーダは、同時動作しないことを特徴とする請求項７に記載の携帯型電子機器の制御方法。
【請求項９】
当該第１コーデック（３４）は、フレーム間圧縮を含む圧縮符号化形式に対応することを特徴とする請求項７又は８に記載の携帯型電子機器の制御方法。
【請求項１０】
当該第２コーデック（３６）は、フレーム間圧縮を含まない圧縮符号化形式に対応することを特徴とする請求項７乃至９の何れか１項に記載の携帯型電子機器の制御方法。
【請求項１１】
更に、当該記録媒体に記録される当該第２エンコーダで圧縮された動画像データを、当該第２コーデックの第２デコーダ及び当該第１コーデックの第１エンコーダを使って変換し、当該記録媒体に記録するステップを具備することを特徴とする請求項７乃至１０の何れか１項に記載の携帯型電子機器の制御方法。
【請求項１２】
当該第２エンコーダは、当該放送受信手段により当該動画放送を受信しているときの、当該動画記録指示手段による動画記録指示に対し、当該撮像手段による当該撮像画像を、当該第１エンコーダの場合よりも遅いフレームレート又は少ない画素数で圧縮することを特徴とする請求項７乃至１１の何れか１項に記載の携帯型電子機器の制御方法。
【発明の詳細な説明】
【技術分野】
【０００１】
本発明は、撮像機能と放送受信機能を具備する携帯型電子機器とその制御方法に関する。
【背景技術】
【０００２】
近年、携帯電話にデジタルカメラ機能を搭載したものが一般的になってきている。しかも静止画のみならず音声付き動画の記録が可能となっているものが多い。圧縮技術の向上、高画素化、撮像駆動モードの多様化、及び記録メディアの高速化等により、ファイルサイズを小さく抑えつつ、高品質の動画を高いフレームレートで長時間記録することが可能になっている。
【０００３】
一方、地上デジタルテレビジョン放送の普及に伴い、主に移動体向けの視聴を可能とした放送のインフラが国内でも整ってきている。地上デジタルテレビジョン放送では、一つのチャンネルが１３セグメントに分かれた構造となっているのに対し、モバイル端末向けに、その内の１セグメントを使用する放送、いわゆる「１セグメント放送」が提供されている。実際に１セグメント放送に対応した携帯電話端末も登場しており、その対応機種数も増加傾向にある。
【０００４】
スチル・ムービーカメラ機能とテレビ視聴に代表される動画放送受信機能を有するこのような携帯型電子機器では、撮影した静止画像の圧縮伸長機能に加えて、動画像の圧縮伸長機能と、動画受信時の伸長機能とを必要とする。撮影動画の伸長と動画放送受信時の伸長については、同一のコーデックを共用することが可能である（特許文献１）。
【特許文献１】特開２００５−３０３３６８号公報
【発明の開示】
【発明が解決しようとする課題】
【０００５】
ムービー撮影機能と放送受信機能を具備する携帯型電子機器を使って、テレビ視聴中に動画撮影を行いたいケースが発生した場合を想定する。例えば、仲間とスポーツ番組の生中継を見ながら、その場の雰囲気を動画として記録しておきたい、といった場合である。この場合、従来の携帯型電子機器では、テレビ受信を一旦中断し、カメラモードに切り替えた後に、動画撮影を開始することになる。
【０００６】
テレビ表示自体は一時的に見ることが出来なくなるが、動画撮影中は、メモリにテレビ放送を録画しておく。撮影終了後にメモリ内のテレビ番組を再生することで、大切なシーンを見逃さずに済んでいた。
【０００７】
ところが、放送受信モードから放送録画モードへの切替えの間の放送映像を見逃すことは避け得ない。この間に、見たい貴重な場面が中断してしまう。
【０００８】
放送受信用のデコーダ（又はコーデック）と、動画撮影で使用するエンコーダ（コーデック）の両方を別々に装備すれば、動画撮影と放送受信を同時実行可能になるが、その場合、装備機能が過剰になり、コスト増になる。通常、同じ圧縮方式のエンコーダとデコーダはワンチップ化され、エンコーダとデコーダを同時に動作させることはできない。
【０００９】
そこで、本発明は、放送受信中でも動画撮影を実行できる簡易な構成の携帯型電子機器とその制御方法を提示することを目的とする。
【課題を解決するための手段】
【００１０】
上記の目的を達成するために、本発明に係る携帯型電子機器は、被写体を撮像する撮像手段と、動画放送を受信する放送受信手段と、第1エンコーダ及び第１デコーダを具備し、動画像を圧縮伸長する第１コーデックと、第２エンコーダ及び第２デコーダを具備し、静止画像を圧縮伸長する第２コーデックと、当該撮像手段による撮影画像の動画記録を指示する動画記録指示手段と、画像表示手段と、当該放送受信手段により当該動画放送を受信していないときの、当該動画記録指示手段による動画記録指示に対し、当該撮像手段による当該撮像画像を当該第１エンコーダに圧縮させ、当該放送受信手段により当該動画放送を受信しているときの、当該動画記録指示手段による動画記録指示に対し、当該撮像手段による当該撮像画像を当該第２エンコーダに圧縮させる制御手段と、当該第１エンコーダで圧縮された画像データ及び当該第２エンコーダで圧縮された画像データを記憶する記録媒体とを具備することを特徴とする。
【００１１】
当該第１エンコーダと当該第１デコーダは、同時動作しないことを特徴とする。
【００１２】
当該第１コーデックは、フレーム間圧縮を含む圧縮符号化形式に対応することを特徴とする。
【００１３】
当該第２コーデックは、フレーム間圧縮を含まない圧縮符号化形式に対応することを特徴とする。
【００１４】
当該制御手段は更に、当該記録媒体に記録される当該第２エンコーダで圧縮された動画像データを、当該第２コーデックの第２デコーダ及び当該第１コーデックの第１エンコーダを使って変換し、当該記録媒体に記録することを特徴とする。
【００１５】
当該第２エンコーダは、当該放送受信手段により当該動画放送を受信しているときの、当該動画記録指示手段による動画記録指示に対し、当該撮像手段による当該撮像画像を、当該第１エンコーダの場合よりも遅いフレームレート又は少ない画素数で圧縮することを特徴とする。
【００１６】
本発明に係る携帯型電子機器の制御方法は、被写体を撮像する撮像手段と、動画放送を受信する放送受信手段と、第1エンコーダ及び第１デコーダを具備し、動画像を圧縮伸長する第１コーデックと、第２エンコーダ及び第２デコーダを具備し、静止画像を圧縮伸長する第２コーデックと、当該撮像手段による撮影画像の動画記録を指示する動画記録指示手段と、画像表示手段と、当該第１エンコーダで圧縮された画像データ及び当該第２エンコーダで圧縮された画像データを記憶する記録媒体とを具備する携帯型電子機器の制御方法であって、当該第１エンコーダが、当該放送受信手段により当該動画放送を受信していないときの、当該動画記録指示手段による動画記録指示に対し、当該撮像手段による当該撮像画像を圧縮するステップと、当該第２エンコーダが、当該放送受信手段により当該動画放送を受信しているときの、当該動画記録指示手段による動画記録指示に対し、当該撮像手段による当該撮像画像を圧縮するステップとを具備することを特徴とする。
【００１７】
上記携帯型電子機器の制御方法において、当該第1エンコーダと当該第１デコーダは、同時動作しないことを特徴とする。
【００１８】
上記携帯型電子機器の制御方法において、当該第１コーデックは、フレーム間圧縮を含む圧縮符号化形式に対応することを特徴とする。
【００１９】
上記携帯型電子機器の制御方法において、当該第２コーデックは、フレーム間圧縮を含まない圧縮符号化形式に対応することを特徴とする。
【００２０】
上記携帯型電子機器の制御方法において、更に、当該記録媒体に記録される当該第２エンコーダで圧縮された動画像データを、当該第２コーデックの第２デコーダ及び当該第１コーデックの第１エンコーダを使って変換し、当該記録媒体に記録するステップを具備することを特徴とする。
【００２１】
上記携帯型電子機器の制御方法において、当該第２エンコーダは、当該放送受信手段により当該動画放送を受信しているときの、当該動画記録指示手段による動画記録指示に対し、当該撮像手段による当該撮像画像を、当該第１エンコーダの場合よりも遅いフレームレート又は少ない画素数で圧縮することを特徴とする。
【発明の効果】
【００２２】
本発明によれば、放送受信中に動画を記録したい場合に、放送受信を中断せずに、動画を記録できる。これにより、貴重な放送シーンを見逃がすことがなく、放送受信と動画記録を同時に実行できる。
【発明を実施するための最良の形態】
【００２３】
以下、図面を参照して、本発明の実施例を詳細に説明する。
【実施例１】
【００２４】
図１は本発明の一実施例であるワンセグ放送受信機能付きの携帯型撮像装置の概略構成ブロック図である。撮像装置１０は、具体的には、携帯電話機、デジタルムービーカメラ又はデジタルスチルカメラ等の携帯型電子機器として実現される。
【００２５】
撮像装置１０の基本構成と各部の機能を説明する。撮影レンズ１２はフォーカス用レンズ及びズーム用レンズを具備し、被写体の光学像をＣＣＤ（Charge Coupled Devices）撮像素子１８の撮像面上に結像する。撮影レンズ１２と撮像素子１８の間には、露出調節用の絞り１４と、シャッタ１６が配置される。撮像素子１８の電子シャッタ機能を使用する場合、シャッタ１６は不要である。撮像素子１８は感光素子上に原色モザイクフィルタが設置されており、光学像を電気信号に変換する。なお、ＣＭＯＳ（Complementary Metal Oxide Semiconductor）撮像素子を用いてもよい。
【００２６】
前置処理装置２０はノイズ除去のためのＣＤＳ（相関２重サンプリング）回路と利得を制御するためのＡＧＣ（自動利得制御）回路を具備する。Ａ／Ｄ変換器２２は、タイミング発生回路２４からの基準クロック信号と制御信号に従い、前置処理装置２０から出力されるアナログ信号をデジタル信号に変換する。タイミング発生回路２４は、ＣＣＤ撮像素子１８とＡ／Ｄ変換器２２に基準クロック信号と制御信号を供給する。タイミング発生回路２４からＣＣＤ撮像素子１８及びＡ／Ｄ変換器２２への基準クロック信号及び制御信号のタイミングは、信号処理ＩＣ２６により制御される。
【００２７】
信号処理ＩＣ２６は、ＤＭＡ（Direct Memory Access）コントローラ及び表示用Ｄ／Ａ変換器を具備し、例えば、ＤＳＰ（Digital Signal Processor）からなる。信号処理ＩＣ２６は、Ａ／Ｄ変換器２２からの撮影画像データに対して、ＴＴＬ（Through-The-Lens）方式のＡＦ（オートフォーカス）／ＡＥ（自動露出）／ＡＷＢ（オートホワイトバランス）／ＥＦ（ストロボプリ発光）のための演算を実行し、演算結果をＤＲＡＭ（Dynamic Random Access Memory）２８に格納する。ＣＰＵ６０は、ＤＲＡＭ２８に格納されるこれらの演算結果を参照して、撮影レンズ１２のＡＦ制御、絞り１４及びシャッタ１６のＡＥ制御、信号処理ＩＣ２６のＡＷＢ制御、並びに、図示しないストロボのＥＦ制御を実行する。
【００２８】
信号処理ＩＣ２６は、ＣＰＵ６０からの指示に従い、Ａ／Ｄ変換器２２からの画像データ及びＤＲＡＭ２８に格納される画像データに対し、画素補間処理、色変換処理、拡大縮小処理（リサイズ処理）及び画像データ形式変換処理を行う機能を具備する。信号処理ＩＣ２６は更に、バス３８を介して各部とデータを送受信する機能と、記録媒体４６との間でデータを伝送する機能を具備する。
【００２９】
ＣＰＵ６０は、ＡＦ／ＡＥ／ＡＷＢ／ＥＦ制御に加えて、信号処理ＩＣ２６のデータフローを制御し、各種キー（モードダイヤル６２，レリーズスイッチ６４、テレビＳＷ６６及びムービーＳＷ６８等）の操作状況をスキャンし、撮影レンズ１２のズームを制御し、周辺モジュールと通信する。
【００３０】
ＤＲＡＭ２８は、撮影した非圧縮データの一時格納に使用されるだけでなく、上述したように、ＴＬＬ方式のＡＦ／ＡＥ／ＡＷＢ／ＥＦ演結果の保持、画像表示装置３０への表示用画像データの保持、及び圧縮画像データの保持等に使用される。ＤＲＡＭ２８はまた、所定枚数の静止画像又は所定時間の動画像を一時的に格納するのに十分な記憶容量を備えている。ＤＲＡＭ２８は、ＣＰＵ６０を実行させるプログラムのワーク領域として使用される。
【００３１】
画像表示装置３０は薄膜フィルムトランジスタ式液晶表示パネル（ＴＦＴ  ＬＣＤ）等からなる。信号処理ＩＣ２６は、Ａ／Ｄ変換器２２からの画像データにＡＷＢ等の処理を施し、内蔵するＤ／Ａ変換器によりアナログ信号に変換して画像表示装置３０に印加する。これにより、ユーザは、撮像素子１８に入射する光学像を、画像表示装置３０の画面上で視覚的に確認できる。
【００３２】
画像表示装置３０はまた、デジタル放送受信画像の表示、及び各種情報・モード設定状況の表示にも使われる。画像表示装置３０の表示は、ＣＰＵ６０の指示により任意にオン／オフすることが可能である。表示をオフにした場合、撮像装置１０の電力消費を大幅に低減できる。
【００３３】
また、画像表示装置３０は、回転可能なヒンジ部によって撮像装置１０の筐体と結合されており、自由な向きと角度を設定して、電子ファインダ用、再生画像の表示用、及び各種情報の表示用に切り替えて又は併用して、使用できる。画像表示装置３０の表示面を撮像装置１０の筐体側に向けることで、表示面を保護しつつ格納することが可能である。この格納状態を検知する画像表示部検知ＳＷ（不図示）を装備し、その出力をＣＰＵ６０に通知することで、ＣＰＵ６０は、この格納状態に対して自動的に画像表示装置３０の表示をオフにする。
【００３４】
フラッシュメモリ３２は電気的に消去・記録可能な半導体メモリ素子であり、ＣＰＵ６０を動作させるために必要なプログラムやカメラ固有の調整データ等が予め書き込まれている。
【００３５】
ＭＰＥＧ（Motion Picture Experts Group）コーデック３４は、ＭＰＥＧ２の規格だけでなく、ＩＴＵ−ＴＲｅｃ．Ｈ．２６４｜ＩＳＯ／ＩＥＣ  １４４９６−１０  ＡＶＣ（いわゆるＨ．２６４）の規格にも準拠するエンコーダとデコーダが一体化された専用回路チップである。本実施例では、ＭＰＥＧコーデック３４のエンコーダは、撮影した動画の圧縮に使用される。またＭＰＥＧコーデック３４のデコーダは、ワンセグ放送の受信画像と、記録媒体４６に記録されたＭＰＥＧ２或いはＨ．２６４で圧縮された動画像の伸長に使用される。少なくとも、ＭＰＥＧコーデック３４のエンコーダは、ＭＰＥＧ２の規格に対応し、デコーダは、ＭＰＥＧ２の規格及びいわゆるＨ．２６４の規格の両方に対応するものであればよい。
【００３６】
ＪＰＥＧ（Joint Photographic Experts Group）コーデック３６は、ＪＰＥＧ規格に準拠したエンコーダとデコーダが一体化された専用回路チップである。ＪＰＥＧエンコーダ３６のエンコーダは、静止画撮影された画像の圧縮と、放送受信時に撮影される動画のＭｏｔｉｏｎ  ＪＰＥＧによる圧縮に使用される。また、ＪＰＥＧエンコーダ３６のデコーダは、記録媒体４６に記録されたＪＰＥＧ圧縮された静止画像及び動画像の伸長に使用される。
【００３７】
信号処理ＩＣ２６は、コネクタ４０，４２及びインターフェース４４を介して記録媒体４６と接続し、記録媒体４６からデータを読み書きできる。記録媒体４６は、半導体メモリカード、ハードディスク、光ディスク又は光磁気ディスク等である。
【００３８】
アンテナ４８は、地上デジタル放送のうち、１セグメント放送（ワンセグ放送）の電波を受信する。地上デジタル受信装置５０は、アンテナ４８で受信した放送電波信号から所望のチャネルの放送信号を抽出する。ＴＳ処理装置５２は、地上デジタル受信装置５０で抽出されたチャネルのトランスポートストリーム（ＴＳ）を処理して、Ｈ．２６４画像データに変換する。Ｈ．２６４画像データはＭＰＥＧコーデック３４で伸長処理される。また、データ処理装置５４は、ワンセグ放送に含まれる番組以外の情報（データ放送など）を表示用に処理する。
【００３９】
撮像装置１０は、操作手段として、モードダイヤル６２、レリーズＳＷ６４、テレビＳＷ６６、ムービーＳＷ６８、及び、汎用的な操作装置７０を具備する。撮像装置１０はまた、音声入出力手段として、音声入力用のマイク７２、音声出力用のスピーカ７４を具備する。
【００４０】
モードダイヤル６２には、電源オン／オフモード、撮影モード、再生モード及びテレビ視聴モード等が割り振られ、モードダイヤル６２を回転することで、何れかのモードをＣＰＵ６０に指定できる。
【００４１】
レリーズＳＷ６４は、半押し状態でオンとなる半押しスイッチ（ＳＷ１）と、全押し状態でオンとなる全押しスイッチ（ＳＷ２）とからなる。半押し状態で、ＣＰＵ６０は、ＴＬＬ方式のＡＦ、ＡＥ、ＡＷＢ及びＥＦ等の処理を実行する。また、全押し状態で、シャッタ１６が切られ、ＣＣＤ撮像素子１８の画像信号が後述するプロセスで記録される。
【００４２】
ムービーＳＷ６６は動画記録の開始・終了を指示するスイッチである。テレビＳＷ６８はデジタル放送受信を行うスイッチであり、例えばテレビＳＷ６８をオンとすると、地上デジタル受信装置５０が、デジタル放送を受信する。
【００４３】
操作装置７０は、ズームレバー、測光モード切替えボタン、マクロボタン、ＡＥロックボタン、画像表示装置３０のオン／オフを指示する画像表示オン／オフスイッチ、デジタル放送のチャンネル切替えＳＷ及び音量制御ＳＷ等を具備する。
【００４４】
電源制御装置７６が、コネクタ８０，８２を介して電源８４となる電池に接続する。電源８４は、アルカリ電池又はリチウム電池等の一次電池、若しくはＡＣアダプタである。なお、電源８４は、ＮｉＣｄ電池、ＮｉＭＨ電池又はＬｉ電池等の二次電池と組み合わせてもよい。
【００４５】
電源制御装置７６は、電池検出装置、ＤＣ−ＤＣコンバータ、及び、通電するブロックを切り替えるスイッチ回路等により構成されており、電池の装着の有無、電池の種類及び電池残量等を検出する。電源制御装置７６は、これらの検出結果及びＣＰＵ６０の指示に基づいて、ＤＣ−ＤＣコンバータを制御し、必要な電圧を必要な期間、記録媒体４６を含む各部へ供給する。ＣＰＵ６０は、必要に応じて画像表示装置３０に電池残量を表示させる。
【００４６】
ズーム制御装置７８は、ＣＰＵ６０からの指示に従い、撮影レンズ１２のズームレンズを駆動する。
【００４７】
図２を参照して、静止画撮影の基本動作を説明する。図２は、静止画撮影の基本動作を示すフローチャートである。モードダイヤル６２で静止画撮影モードに設定する。
【００４８】
ユーザがレリーズＳＷ６４を全押しすることで、シャッタ１６が作動し、その間のＣＣＤ撮像素子１８の全画素の画像データが読み出され、前置処理装置２０及びＡ／Ｄ変換器２２を介して信号処理ＩＣ２６に取り込まれる（Ｓ１０）。信号処理ＩＣ２６は、Ａ／Ｄ変換器２２からの撮影画像データに水平垂直のフィルタ処理、アパチャー補正処理及びガンマ処理等を含む現像処理を行う（Ｓ１１）。信号処理ＩＣ２６はまた、現像された画像データをリサイズ機能で記録用のサイズと表示用のサイズにリサイズし、リサイズ結果をＤＲＡＭ２８に書き込む（Ｓ１２）。信号処理ＩＣ２６は、表示用にリサイズされた画像データをＤＲＡＭ２８から再び読込み、アナログ信号に変換して画像表示装置３０に供給する。これにより、撮影した画像そのものを即座にレビュー画像として視覚的に確認できる。
【００４９】
ＤＲＡＭ２８の記録用にリサイズされた画像データは、バス３８を介してＪＰＥＧコーデック３６に転送される。ＪＰＥＧコーデック３６は、記録用サイズの画像データをＪＰＥＧデータ（ＪＰＥＧ方式で圧縮された静止画像データ）に変換する（Ｓ１３）。ＣＰＵ６０は、生成されたＪＰＥＧデータに管理用のヘッダ情報（撮影日時、撮影条件等）又は付加情報を付加して静止画ファイルを生成する。この静止画ファイルは、信号処理ＩＣ２６、コネクタ４０，４２及びインターフェース４４を介して記録媒体４６に記録される（Ｓ１４）。
【００５０】
図３を参照して、動画像撮影の基本動作を説明する。図３は動画像撮影の基本動作を示すフローチャートである。モードダイヤル６２で動画記録モードに設定する。
【００５１】
ユーザがムービーＳＷ６８を押すと、動画記録が開始される。動画記録の場合、ＣＣＤ撮像素子１８から一部の画素データが所定フレームレートで読みだされる（Ｓ２０）。例えば、水平及び／又は垂直に間引かれた画素の画像データ、又は、水平及び／又は垂直方向で画素値を加算した画像データ等である。信号処理ＩＣ２６は、静止画記録の場合と同様に、Ａ／Ｄ変換器２２からの撮影画像データに水平垂直のフィルタ処理、アパチャー補正処理及びガンマ処理等を含む現像処理を行う（Ｓ２１）。信号処理ＩＣ２６はまた、現像された画像データをリサイズ機能で記録用のサイズ、例えばＶＧＡ（水平６４０画素、垂直４８０ライン）サイズと表示用のサイズにリサイズし、リサイズ結果をＤＲＡＭ２８に書き込む（Ｓ２２）。記録用のサイズと表示用のサイズが同じである場合、記録用サイズへのリサイズのみで良いことは明らかである。信号処理ＩＣ２６は、表示用にリサイズされた画像データをＤＲＡＭ２８から再び読込み、アナログ信号に変換して画像表示装置３０に供給する。これにより、記録中の動画像そのものを画像表示装置３０の画面上で視覚的に確認できる。
【００５２】
ＤＲＡＭ２８の記録用にリサイズされた画像データは、バス３８を介してＭＰＥＧコーデック３４に転送される。また、マイク７２からの音声データが、ＣＰＵ６０及びバス３８を介してＭＰＥＧコーデック３４に供給される。ＭＰＥＧコーデック３４は、記録用サイズの画像データをＭＰＥＧ方式で圧縮符号化し、また、マイク７２により入力される音声信号をＡＡＣ形式の圧縮音声データに変換する（Ｓ２３）。ＣＰＵ６０は、生成された圧縮画像データと圧縮音声データからなる圧縮映像データに管理用のヘッダ情報（撮影日時、撮影条件等）又は付加情報を付加し、信号処理ＩＣ２６、コネクタ４０，４２及びインターフェース４４を介して動画ファイルとして記録媒体４６に記録される（Ｓ２４）。
【００５３】
ユーザがムービーＳＷ６８で記録停止を指示するまで（Ｓ２５）、上記のステップＳ２０〜Ｓ２４の処理を繰り返す。ユーザがムービーＳＷ６８で記録停止を指示するか、又は、記録媒体４６の残容量がなくなると（Ｓ２５）、ＣＰＵ６０は、記録媒体４６の動画ファイルのクローズ、記録媒体４６の管理情報の更新、及び内部バッファのクリア等の終了処理を実行し（Ｓ２６）、動画記録を終了する。
【００５４】
図４を参照して、テレビ受信の基本動作を説明する。図４は、テレビ受信の基本動作を示すフローチャートである。ユーザがテレビＳＷ６６を押下すると、テレビ視聴モードになる。
【００５５】
テレビ視聴モードでは、地上デジタル放送受信装置５０は、アンテナ４８からの地上デジタル放送波から指定のチャネルの信号を抽出及び復調し、映像データ、音声データ及びＴＳ（トランスポートストリーム）信号を出力する（Ｓ３０）。データ処理装置５４は、データ放送のデータを処理する。ＴＳ処理装置５２はＴＳ信号を復調し、ヘッダ、アダプテーションフィールド及びペイロードなどを切り出して、ＭＰＥＧコーデック３４に送る（Ｓ３１）。ＭＰＥＧコーデック３４は、ＴＳ処理装置５２からのデータに基づき、地上デジタル受信装置５０からのＨ．２６４で圧縮された映像データ及び音声データを復号化（伸長）する（Ｓ３２）。伸長された映像データの画像データは、信号処理ＩＣ２６により表示用にリサイズされ、アナログ信号に変換されて、画像表示装置３０に供給される（Ｓ３３）。また、伸長された音声データは、ＣＰＵ６０からスピーカ７４に印加される。
【００５６】
テレビＳＷ６６によりユーザがテレビ視聴終了を指示するまで（Ｓ３４）、ステップＳ３０〜Ｓ３３の処理が継続して実行される。
【００５７】
図５を参照して、テレビ受信中に動画記録する場合の本実施例の動作を説明する。図５はその動作フローチャートである。本実施例では、テレビ受信表示中の動画撮影に対して、単独での動画撮影（図３）と同様の撮影シーケンスを行いるが、符号化処理にはＪＰＥＧコーデック３６を使用する。図５において、ステップＳ４０〜Ｓ４３，Ｓ５２は、図４のステップＳ３０〜Ｓ３３，Ｓ３４と同様の内容であるので、説明は省略する。
【００５８】
テレビ受信表示中、ムービーＳＷ６８によりユーザが動画撮影開始を指示すると（Ｓ４４）、ＣＰＵ６０は、テレビ受信表示を継続しつつ、図３と同様の手順で動画を撮影し、記録媒体４６に記録する。但し、ＪＰＥＧコーデック３６のエンコーダを使い、Ｍｏｔｉｏｎ  ＪＰＥＧで動画像を圧縮する。
【００５９】
即ち、ＣＣＤ撮像素子１８から一部の画素データが所定フレームレートで読みだされる（Ｓ４５）。例えば、水平及び／又は垂直に間引かれた画素の画像データ、又は、水平及び／又は垂直方向で画素値を加算した画像データ等である。信号処理ＩＣ２６は、Ａ／Ｄ変換器２２からの撮影画像データに水平垂直のフィルタ処理、アパチャー補正処理及びガンマ処理等を含む現像処理を行う（Ｓ４６）。信号処理ＩＣ２６はまた、現像された画像データをリサイズ機能で記録用のサイズ、例えばＶＧＡ（水平６４０画素、垂直４８０ライン）サイズと表示用のサイズにリサイズし、リサイズ結果をＤＲＡＭ２８に書き込む（Ｓ４７）。記録用のサイズと表示用のサイズが同じである場合、記録用サイズへのリサイズのみで良いことは明らかである。信号処理ＩＣ２６は、表示用にリサイズされた画像データをＤＲＡＭ２８から再び読込み、アナログ信号に変換して画像表示装置３０に供給する。これにより、記録中の動画像そのものを画像表示装置３０の画面上で視覚的に確認できる。
【００６０】
ＤＲＡＭ２８の記録用にリサイズされた画像データは、バス３８を介してＪＰＥＧコーデック３６に転送される。このとき、音声は記録されない。ＪＰＥＧコーデック３６は、記録用サイズの各画面の画像データをＪＰＥＧ方式で圧縮符号化されたデータ、即ちＪＰＥＧデータに変換する（Ｓ４８）。ＣＰＵ６０は、ＪＰＥＧコーデック３６で生成されたＪＰＥＧデータに管理用のヘッダ情報（撮影日時、撮影条件等）又は付加情報を付加し、信号処理ＩＣ２６、コネクタ４０，４２及びインターフェース４４を介して動画ファイルとして記録媒体４６に記録される（Ｓ４９）。
【００６１】
ユーザがムービーＳＷ６８で記録停止を指示しなければ（Ｓ５０）、ステップＳ５２に移行する。ユーザがムービーＳＷ６８で記録停止を指示するか、又は、記録媒体４６の残容量がなくなると（Ｓ５０）、ＣＰＵ６０は、記録媒体４６の動画ファイルのクローズ、記録媒体４６の管理情報の更新、及び内部バッファのクリア等の終了処理を実行して、動画記録を終了し（Ｓ５１）、ステップＳ５２に移行する。
【００６２】
ステップＳ５２では、ユーザによりテレビＳＷ６６が操作されてテレビ視聴終了指示があるかどうかが調べられる。終了指示が無ければ、ステップＳ４０以降を繰り返す。
【００６３】
テレビ受信の終了指示があると（Ｓ５２）、記録媒体４６にＪＰＥＧコーデック３６でエンコードされた動画データが存在するか否かを調査する（Ｓ５３）。記録媒体４６にＪＰＥＧ圧縮された動画データが存在する場合（Ｓ５３）、そのＪＰＥＧ圧縮された動画データを読み出し、ＪＰＥＧコーデック３６で伸長し、ＭＰＥＧコーデック３４で圧縮符号化し、記録媒体４６に記録する（Ｓ５４）。即ち、記録媒体４６のＪＰＥＧデータをＭＰＥＧデータに変換する。これにより、撮影時には、一時的にＪＰＥＧデータとなるものの、撮影後には、通常通り記録した動画と同様にＭＰＥＧデータとして扱えば良いので、扱いが容易になる。
【００６４】
以上述べたように、本実施例によれば、ＴＶ放送受信中に、ＴＶ放送の受信表示を中断することなく、動画撮影を開始できる。
【００６５】
説明の都合上、図５では、テレビ放送の受信表示処理と動画記録処理とを順次的に実行するかのように記載したが、これらは、並行に実行可能である。ステップＳ５３，Ｓ５４は、テレビ放送の受信と動画のＪＰＥＧ形式での記録の両方が終了した後に、実行される。
【００６６】
テレビ放送の受信後では、ＭＰＥＧコーデック３４のエンコーダが利用可能になるので、これとＪＰＥＧコーデック３６のデコーダを使って、ＪＰＥＧデータ形式の動画をＭＰＥＧデータ形式に変換する。これにより、記録媒体４６の記録動画データを、テレビ放送を受信していないときの記録動画データと同様に扱える。ＪＰＥＧデータをＭＰＥＧデータに変換することで、ファイルサイズを小さくすることができる。
【００６７】
また、ＪＰＥＧコーデック３６はフレーム間圧縮を行わないので、記録時のビットレートが高く、記録媒体４６の書き込みが処理に追いつかない場合がある。このようなケースでは、記録可能時間が記録媒体４６の容量ではなく、ＤＲＡＭ２８の動画一時保存用バッファ容量で制限されてしまうという問題点がある。この場合、テレビ受信中の動画記録時に限り、フレームレートを落とすか、１画面の画素を間引くかして、記録する。これにより、動画記録時間を確保できる。
【００６８】
また、一方のコーデックが動画の圧縮に適した、フレーム間圧縮を含む画像符号化方式に対応し、もう一方のコーデックが静止画の圧縮に適した、フレーム間圧縮を含まない画像符号化方式に対応する場合、既存のデジタルスチル・ムービーカメラのコーデック構成をそのまま利用できる。即ち、ＴＶ受信・表示機能を付加しても、コーデック部に関しては追加する必要がなく、低コストでＴＶ受信・表示機能を追加できる。
【００６９】
なお、本実施例では、静止画用のコーデックとして、ＪＰＥＧコーデック３６、動画用とテレビ受信用のコーデックとしてＭＰＥＧコーデック３４を挙げたが、画像符号化方式についてはもちろん上記に限定されるものではなく、他方式のものであってもよい。
【００７０】
また、動画のエンコーダとデコーダが完全に独立して動作する場合には、ＴＶ画像を表示させながら同じコーデックを使用した動画撮影記録は可能である。しかし、このような構成をコスト的又はスペース的に実現できない場合、すなわち、エンコーダとデコーダを同時に動作せられない場合でも、本実施例を適用することで、ＴＶ放送の受信表示と動画撮影を同時に実行できる。
【図面の簡単な説明】
【００７１】
【図１】本発明の一実施例の概略構成ブロック図である。
【図２】静止画撮影の基本動作を示すフローチャートである。
【図３】動画撮影の基本動作を示すフローチャートである。
【図４】テレビ受信の基本動作を示すフローチャートである。
【図５】テレビ受信中の動画撮影の動作フローチャートである。
【符号の説明】
【００７２】
１０  撮像装置
１２  撮影レンズ
１４  絞り
１６  シャッタ
１８  ＣＣＤ撮像素子
２０  前置処理装置
２２  Ａ／Ｄ変換器
２４  タイミング発生器
２６  信号処理ＩＣ
２８  ＤＲＡＭ
３０  画像表示装置
３２  フラッシュメモリ
３４  ＭＰＥＧコーデック
３６  ＪＰＥＧコーデック
３８  バス
４０，４２  コネクタ
４４  Ｉ／Ｆ（インターフェース）
４６  記録媒体
４８  アンテナ
５０  地上デジタル受信装置
５２  ＴＳ処理装置
５４  データ処理装置
６０  ＣＰＵ
６２  モードダイヤル
６４  レリーズＳＷ
６６  テレビＳＷ
６８  ムービーＳＷ
７０  操作装置
７２  マイク
７４  スピーカ
７６  電源制御装置
７８  ズーム制御装置
８０，８２  コネクタ
８４  電源
【図１】
2008153781.tif 000003
【図２】
2008153781.tif 000004
【図３】
2008153781.tif 000005
【図４】
2008153781.tif 000006
【図５】
2008153781.tif 000007